(57)【要約】【課題】伝送品質特性の劣化を抑えて無線通信を行うことのできる無線基地局及び無線通信制御方法を提供する。【解決手段】上りリンクチャネル推定部１６が、ユーザ毎に、無線通信チャネルの上りリンク用タイムスロットに対してチャネル推定を行い、時間差測定部１３が、ユーザ毎に、チャネル推定を行う上りリンク用タイムスロットと、送信データを送信する下りリンク用タイムスロットとの時間差を測定する。下りリンク（ＤＬ）タイムスロット送信ダイバーシチ制御部１４は、各ユーザのチャネル推定結果及び各ユーザの上下タイムスロット時間差測定結果に基づいて、各ユーザの下りリンク用タイムスロットについて送信ダイバーシチを制御する。そして、送信処理部１５が、その制御に基づいて、各ユーザの下りリンク用タイムスロットを用いて送信データを送信する。【選択図】　　　図１
2004015754.tif 000002
【特許請求の範囲】
【請求項１】
無線通信チャネルの上りリンク用タイムスロットに対してチャネル推定を行うチャネル推定手段と、
該チャネル推定手段がチャネル推定を行う前記上りリンク用タイムスロットと、送信データを送信する前記無線通信チャネルの下りリンク用タイムスロットの時間差を測定する上下タイムスロット時間差測定手段と、
前記チャネル推定手段によるチャネル推定結果及び前記上下タイムスロット時間差測定手段による上下タイムスロット時間差測定結果に基づいて、前記下りリンク用タイムスロットについて送信ダイバーシチを制御する送信ダイバーシチ制御手段と、
該送信ダイバーシチ制御手段による制御に基づいて、前記下りリンク用タイムスロットを用いて前記送信データを送信する送信手段と
を備えることを特徴とする無線基地局。
【請求項２】
前記無線通信チャネルのフェージングの状態を推定するフェージング状態推定手段を備え、
前記送信ダイバーシチ制御手段は、前記チャネル推定手段によるチャネル推定結果、前記タイムスロット時間差測定手段による上下タイムスロット時間差測定結果及び前記フェージング状態推定手段によるフェージング状態推定結果に基づいて、前記下りリンク用タイムスロットについて送信ダイバーシチを制御することを特徴とする請求項１に記載の無線基地局。
【請求項３】
前記フェージング状態推定手段は、前記無線通信チャネルのフェージングの周波数を推定するフェージング周波数推定手段であることを特徴とする請求項２に記載の無線基地局。
【請求項４】
前記フェージング状態推定手段は、前記無線通信チャネルの状態の時間経過に伴う変化を予測するチャネル時間変化予測手段であることを特徴とする請求項２に記載の無線基地局。
【請求項５】
前記フェージング状態推定手段は、
前記無線通信チャネルのフェージングの周波数を推定するフェージング周波数推定手段と、
前記無線通信チャネルの状態の時間経過に伴う変化を予測するチャネル時間変化予測手段と
を備えることを特徴とする請求項２に記載の無線基地局。
【請求項６】
無線基地局において、無線通信チャネルの上りリンク用タイムスロットに対してチャネル推定を行う工程と、
該チャネル推定を行う前記上りリンク用タイムスロットと、送信データを送信する前記無線通信チャネルの下りリンク用タイムスロットの時間差を測定する工程と、
前記チャネル推定結果及び前記上下タイムスロット時間差測定結果に基づいて、前記下りリンク用タイムスロットについて送信ダイバーシチを制御する工程と、
該制御に基づいて、前記下りリンク用タイムスロットを用いて前記送信データを送信する工程と
を有することを特徴とする無線通信制御方法。
【請求項７】
前記無線通信チャネルのフェージングの状態を推定する工程を有し、
前記送信ダイバーシチを制御する工程において、前記チャネル推定結果、前記上下タイムスロット時間差測定結果及び前記フェージング状態推定結果に基づいて、前記下りリンク用タイムスロットについて送信ダイバーシチを制御することを特徴とする請求項６に記載の無線通信制御方法。
【請求項８】
前記フェージングの状態を推定する工程において、前記無線通信チャネルのフェージングの周波数を推定することを特徴とする請求項７に記載の無線通信制御方法。
【請求項９】
前記フェージングの状態を推定する工程において、前記無線通信チャネルの状態の時間経過に伴う変化を予測することを特徴とする請求項７に記載の無線通信制御方法。
【請求項１０】
前記フェージングの状態を推定する工程は、
前記無線通信チャネルのフェージングの周波数を推定する工程と、
前記無線通信チャネルの状態の時間経過に伴う変化を予測する工程と
を有することを特徴とする請求項７に記載の無線通信制御方法。
【発明の詳細な説明】
【０００１】
【発明の属する技術分野】
本発明は、無線基地局及び無線通信制御方法に関する。本発明は、特に、送信ダイバーシチを適用して無線通信を行う無線基地局及び無線通信制御方法に関する。
【０００２】
【従来の技術】
一般に、無線通信では、フェージングが発生する。フェージングは、ビット誤り率特性等の伝送品質を劣化させてしまう。そのため、従来の無線基地局は、フェージングによる伝送品質の劣化を補償する送信ダイバーシチという技術を用いて、無線通信を行っていた。以下に、この送信ダイバーシチの一種である「下りリンク送信ダイバーシチ（Ｄｏｗｎｌｉｎｋ　Ｔｒａｎｓｍｉｔ　Ｄｉｖｅｒｓｉｔｙ）」について説明する（参考文献：３ＧＰＰ　ＴＳ２５．２２４　Ｖ４．０．０）。
【０００３】
図９に、従来の「下りリンク送信ダイバーシチ」を用いた無線基地局５０の構成の一部を示す。図９では、無線基地局５０の構成のうち、データ送信にかかる部分のみを示す。無線基地局５０は、図９に示すように、符号化部５１と、拡散部５２と、重み付け部５３ａ，５３ｂと、フィルタ部５４ａ，５４ｂと、送信部５５ａ，５５ｂと、アンテナ部５６ａ，５６ｂと、上りリンクチャネル推定部（Ｕｐｌｉｎｋ　ｃｈａｎｎｅｌ　ｅｓｔｉｍａｔｅ）５７とを具備している。
【０００４】
符号化部５１は、拡散部５２に接続されており、無線通信チャネルを介して送信されるデータ（以下、送信データ）について所定の方式で符号化及びインターリーブを行い、符号化及びインターリーブを行った送信データを拡散部５２に送信するものである。拡散部５２は、符号化部５１と重み付け部５３ａ，５３ｂとに接続されており、符号化部５１より送信された送信データについて所定の方式で拡散及びスクランブルを行い、拡散及びスクランブルを行った送信データを重み付け部５３ａ，５３ｂに送信するものである。
【０００５】
重み付け部５３ａ，５３ｂは、拡散部５２とフィルタ部５４ａ，５４ｂと上りリンクチャネル推定部５７とに接続されており、それぞれ、拡散部５２より送信された送信データに対して、上りリンクチャネル推定部５７より送信された重み付け係数Ｗ１，Ｗ２によって重み付け（例えば乗算）するものである。重み付け部５３ａ，５３ｂは、重み付けした送信データをフィルタ部５４ａ，５４ｂに送信するものである。
【０００６】
フィルタ部５４ａ，５４ｂは、重み付け部５３ａ，５３ｂと送信部５５ａ，５５ｂとに接続されており、重み付け部５３ａ，５３ｂより送信された送信データにフィルタリング処理を施し、フィルタリング処理が施された送信データを送信部５５ａ，５５ｂに送信するものである。送信部５５ａ，５５ｂは、フィルタ部５４ａ，５４ｂとアンテナ部５６ａ，５６ｂとに接続されており、フィルタ部５４ａ，５４ｂより送信された送信データを、アンテナ部５６ａ，５６ｂと協働して所定の搬送周波数等で送信するものである。
【０００７】
上りリンクチャネル推定部５７は、重み付け部５３ａ，５３ｂとアンテナ部５６ａ，５６ｂとに接続されており、アンテナ部５６ａ，５６ｂを介して設定されている上りリンク用の無線通信チャネル（例えば、タイムスロットや拡散符号や搬送周波数等）を監視することにより、その上りリンク用の無線通信チャネルの状況を推定し（チャネル推定を行い）、このチャネル推定結果に応じて重み付け係数Ｗ１，Ｗ２を決定し、決定した重み付け係数Ｗ１，Ｗ２を重み付け部５３ａ，５３ｂに送信するものである。
【０００８】
ここで、例えば、各無線端末装置を利用する３人のユーザに、図２（ａ）に示すように、無線通信チャネルとして、上りリンク用タイムスロット、下りリンク用タイムスロットがそれぞれ割り当てられている場合の上りリンクチャネル推定部５７の動作を説明する。ここで、３人のユーザを、ユーザ１、ユーザ２、ユーザ３と呼ぶことにする。又、下りリンク用タイムスロットとは、下りリンクに用いられるタイムスロットであり、上りリンク用タイムスロットとは、上りリンクに用いられるタイムスロットである。
【０００９】
ユーザ１と無線通信を行う場合、無線基地局５０は、ユーザ１に割り当てられているタイムスロット番号＃３の上りリンク用タイムスロットに対するのチャネル推定結果を、ユーザ１に割り当てられているタイムスロット番号＃９の下りリンク用タイムスロットを用いた無線通信の際に反映し、重み付け係数を決定する。
【００１０】
又、ユーザ２と無線通信を行う場合、無線基地局５０は、ユーザ２に割り当てられているタイムスロット番号＃４の上りリンク用タイムスロットに対するのチャネル推定結果を、ユーザ２に割り当てられているタイムスロット番号＃５の下りリンク用タイムスロットを用いた無線通信の際に反映し、重み付け係数を決定する。
【００１１】
又、ユーザ３と無線通信を行う場合、同じフレーム内において、ユーザ３に割り当てられているタイムスロット番号＃６の下りリンク用タイムスロットの前に、ユーザ３に割り当てられている上りリンク用タイムスロットが存在しない。そのため、無線基地局５０は、１つ前のフレームのユーザ３に割り当てられているタイムスロット番号＃７（以下、Ｐｒｅ＃７と表す）の上りリンク用タイムスロット、或いは、通信制御チャネルの上りリンク用タイムスロットであるタイムスロット番号＃１のタイムスロットに対するチャネル推定結果を、ユーザ３に割り当てられているタイムスロット番号＃６の下りリンク用タイムスロットを用いた無線通信の際に反映し、重み付け係数を決定する。
【００１２】
【発明が解決しようとする課題】
しかしながら、従来の「下りリンク送信ダイバーシチ」を用いた無線基地局５０及び無線通信制御方法では、上りリンク用タイムスロットに対するチャネル推定を行う時点と、下りリンク用タイムスロットを用いて送信データを送信する時点との間に時間差がある。又、無線通信チャネルの状況は時間とともに変化する。そのため、下りリンク用タイムスロットを用いて送信データを送信する時点で、上りリンク用タイムスロットに対するチャネル推定結果をそのまま使用すると、推定誤差を生じる可能性があるという問題点があった。
【００１３】
例えば、図２（ａ）の場合、ユーザ２に関しては、上りリンク用タイムスロットに対してチャネル推定を行う時点（タイムスロット番号＃４）と、下りリンク用タイムスロットを用いて送信データを送信する時点（タイムスロット番号＃５）との時間差は、１タイムスロット分と小さいため、推定誤差は生じず、無線基地局５０は、精度良く送信ダイバーシチ制御を行うことが可能である。しかし、ユーザ１に関しては、上りリンク用タイムスロットに対してチャネル推定を行う時点（タイムスロット番号＃３）と、下りリンク用タイムスロットを用いて送信データを送信する時点（タイムスロット番号＃９）との時間差は、６タイムスロット分と大きい。そのため、タイムスロット番号＃３の時点とタイムスロット番号＃９の時点とでは、無線通信チャネルの状況が変化しているおそれがあり、推定誤差が生じてしまい、無線基地局５０は、精度良く送信ダイバーシチ制御を行うことができない可能性が高い。
【００１４】
更に、ユーザ３に関しては、上りリンク用タイムスロットに対してチャネル推定を行う時点（１つ前のフレームのタイムスロット番号Ｐｒｅ＃７）と、下りリンク用タイムスロットを用いて送信データを送信する時点（タイムスロット番号＃６）との時間差は、１４タイムスロット分と、非常に大きい。そのため、ユーザ１の場合よりも更に高い確率で、１つ前のフレームのタイムスロット番号Ｐｒｅ＃７の時点とタイムスロット番号＃６の時点とでは、無線通信チャネルの状況が変化しているおそれがあり、推定誤差が大きくなり、無線基地局５０は、精度良く送信ダイバーシチ制御を行うことができない可能性が更に高くなる。
【００１５】
従って、従来の「下りリンク送信ダイバーシチ」を用いた無線通信制御方法及び無線基地局５０では、上りリンク用タイムスロットと下りリンク用タイムスロットの時間差が大きくなった場合、図１０に示すように、「下りリンク送信ダイバーシチ」を用いた場合（送信ダイバーシチあり６０）の方が、「下りリンク送信ダイバーシチ」を用いない場合（送信ダイバーシチなし７０）より、伝送品質特性が悪くなる可能性もある。
【００１６】
又、「ＳＵＤ（Ｓｉｎｇｌｅ　Ｕｓｅｒ　Ｄｅｔｅｃｔｉｏｎ）」（参照文献：Ａｎｊａ　Ｋｌｅｉｎ著，　“Ｄａｔａ　Ｄｅｔｅｃｔｉｏｎ　Ａｌｇｏｒｉｔｈｍｓ　Ｓｐｅｃｉａｌｌｙ　Ｄｅｓｉｇｎｅｄ　ｆｏｒ　ｔｈｅ　Ｄｏｗｎｌｉｎｋ　ｏｆ　ＣＤＭＡ　Ｍｏｂｉｌｅ　Ｒａｄｉｏ　Ｓｙｓｔｅｍｓ”，　ＩＥＥＥ　４７ｔｈ　Ｖｅｈｉｃｕｌａｒ　Ｔｅｃｈｎｏｌｏｇｙ　Ｃｏｎｆｅｒｅｎｃ，　ｐｐ．　２０３−２０７，　Ｍａｙ　１９９７）のようなユーザ間のチャネル推定結果が同じであることを利用して受信機を小型化する技術では、「送信ダイバーシチ」を用いることによって、ユーザ毎のチャネル推定結果が異なることとなるため、伝送品質特性が劣化するという問題点がある。
【００１７】
又、上りリンク用タイムスロットと、下りリンク用タイムスロットとの時間差が小さい場合であっても、無線通信チャネルが高速のフェージング変動を受けている場合には、チャネル推定結果をそのまま使用すると、推定誤差を生じる可能性がある。そのため、結果として伝送品質特性が劣化するという問題点がある。
【００１８】
そこで、本発明は、伝送品質特性の劣化を抑えて無線通信を行うことのできる無線基地局及び無線通信制御方法を提供することを目的とする。
【００１９】
【課題を解決するための手段】
本発明に係る無線基地局は、無線通信チャネルの上りリンク用タイムスロットに対してチャネル推定を行うチャネル推定手段と、チャネル推定手段がチャネル推定を行う上りリンク用タイムスロットと、送信データを送信する無線通信チャネルの下りリンク用タイムスロットの時間差を測定する上下タイムスロット時間差測定手段と、チャネル推定手段によるチャネル推定結果及び上下タイムスロット時間差測定手段による上下タイムスロット時間差測定結果に基づいて、下りリンク用タイムスロットについて送信ダイバーシチを制御する送信ダイバーシチ制御手段と、送信ダイバーシチ制御手段による制御に基づいて、下りリンク用タイムスロットを用いて送信データを送信する送信手段とを備えることを特徴とする。
【００２０】
このような本発明によれば、チャネル推定手段が、無線通信チャネルの上りリンク用タイムスロットに対してチャネル推定を行い、上下タイムスロット時間差測定手段が、チャネル推定手段がチャネル推定を行う上りリンク用タイムスロットと、送信データを送信する無線通信チャネルの下りリンク用タイムスロットの時間差（以下「上下タイムスロット時間差」という）を測定する。送信ダイバーシチ制御手段は、チャネル推定の結果（以下「チャネル推定結果」という）及び上下タイムスロット時間差の測定結果（以下「上下タイムスロット時間差測定結果」という）に基づいて、下りリンク用タイムスロットについて送信ダイバーシチを制御する。そして、送信手段が、その制御に基づいて、下りリンク用タイムスロットを用いて送信データを送信する。
【００２１】
そのため、送信ダイバーシチ制御手段は、チャネル推定結果だけでなく、実際にチャネル推定手段がチャネル推定を行う上りリンク用タイムスロットと、送信手段が、そのチャネル推定結果に基づく送信ダイバーシチの制御に従って、送信データを送信する下りリンク用タイムスロットとの上下タイムスロット時間差を考慮して、送信ダイバーシチを制御することができる。そして、送信手段が、その制御に基づいて、下りリンク用タイムスロットを用いて送信データを送信する。その結果、無線基地局は、送信ダイバーシチを適切に適用して、伝送品質特性の劣化を抑えた無線通信を行うことができる。
【００２２】
又、無線基地局は、無線通信チャネルのフェージングの状態を推定するフェージング状態推定手段を備え、送信ダイバーシチ制御手段は、チャネル推定手段によるチャネル推定結果、タイムスロット時間差測定手段による上下タイムスロット時間差測定結果及びフェージング状態推定手段によるフェージング状態推定結果に基づいて、送信ダイバーシチを制御することが好ましい。
【００２３】
これによれば、フェージング状態推定手段が、無線通信チャネルのフェージングの状態を推定する。そして、送信ダイバーシチ制御手段は、チャネル推定結果、上下タイムスロット時間差測定結果に加えて、フェージングの状態を推定した結果（以下「フェージング状態推定結果」という）に基づいて、送信ダイバーシチを制御することができる。
【００２４】
そのため、送信ダイバーシチ制御手段は、チャネル推定結果、上下タイムスロット時間差測定結果に加えて、実際のフェージングの状態を考慮して、送信ダイバーシチを制御することができる。よって、送信ダイバーシチ制御手段は、実際の無線環境（フェージングの状態）に適した送信ダイバーシチの制御を行うことができる。その結果、無線基地局は、無線通信チャネルを用いた送信データの送信に、送信ダイバーシチを適切に適用して、伝送品質の劣化を更に抑えた無線通信を行うことができる。
【００２５】
フェージング状態推定手段としては、無線通信チャネルのフェージングの周波数（以下「フェージング周波数」という）を推定するフェージング周波数推定手段を用いることが好ましい。これによれば、無線基地局は、フェージングの状態として、フェージング周波数を推定できる。そして、送信ダイバーシチ制御手段は、フェージング周波数を判断基準の一つとして用い、実際の無線環境に応じて最適となるよう送信ダイバーシチを制御することができる。
【００２６】
又、フェージング状態推定手段としては、無線通信チャネルの状態の時間経過に伴う変化（以下「チャネル時間変化」という）を予測するチャネル時間変化予測手段を用いてもよい。これによれば、無線基地局は、フェージングの状態として、フェージング周波数に相当するチャネル時間変化を推定できる。そして、送信ダイバーシチ制御手段は、チャネル時間変化を判断基準の一つとして用い、実際の無線環境に応じて最適となるよう送信ダイバーシチを制御することができる。
【００２７】
更に、フェージング状態推定手段として、フェージング周波数推定手段と、チャネル時間変化予測手段の両方を用いることが好ましい。これによれば、送信ダイバーシチ制御手段は、フェージング周波数とチャネル時間変化の両方を用いて、より実際の無線環境に適した送信ダイバーシチの制御を行うことができる。
【００２８】
【発明の実施の形態】
［第１の実施の形態］
本発明の第１の実施の形態について、図面を参照しながら説明する。
【００２９】
（無線基地局）
図１は、本発明の第１の実施の形態に係る無線基地局１０の構成を示すブロック図である。無線基地局１０は、無線通信チャネルを介して無線端末装置に送信データを送信する。本実施形態では、ＴＤＤ方式やＴＤＭＡ（Ｔｉｍｅ　Ｄｉｖｉｓｉｏｎ　Ｍｕｌｔｉｐｌｅ　Ａｃｃｅｓｓ）方式を用いる場合、即ち、タイムスロットを無線通信チャネルとして用いる場合を例にとって説明する。図１に示すように、無線基地局１０は、符号化部１１と、拡散部１２と、時間差測定部１３と、下りリンク（ＤＬ：Ｄｏｗｎ　Ｌｉｎｋ）タイムスロット送信ダイバーシチ制御部１４と、送信処理部１５と、アンテナ部１５ａ１，１５ａ２と、上りリンクチャネル推定部１６とから構成される。
【００３０】
符号化部１１は、無線通信チャネルを介して無線端末装置に送信されるデータ（以下「送信データ」という）に対して、所定の方式で符号化処理、インターリーブを行う。符号化部１１は、拡散部１２と接続しており、符号化処理、インターリーブを行った送信データを、拡散部１２に送信する。拡散部１２は、符号化部１１と接続しており、符号化部１１から受信した送信データに対して、所定の方式で拡散処理、スクランブル処理を行う。拡散部１２は、下りリンク（ＤＬ）タイムスロット送信ダイバーシチ制御部１４と接続しており、拡散処理、スクランブル処理を行った送信データを、下りリンク（ＤＬ）タイムスロット送信ダイバーシチ制御部１４に送信する。
【００３１】
上りリンクチャネル推定部１６は、無線通信チャネルの上りリンク用タイムスロットに対してチャネル推定を行うチャネル推定手段である。上りリンクチャネル推定部１６は、アンテナ部１５ａ１，１５ａ２と接続しており、アンテナ部１５ａ１，１５ａ２と、無線端末装置との間に設定されている無線通信チャネルの上りリンク用タイムスロットの状況を、アンテナ１５ａ１，１５ａ２を介して監視する。具体的には、上りリンクチャネル推定部１６は、上りリンク用タイムスロットにおける状況、例えば、波形歪み、遅延ゆらぎ、振幅ゆらぎ、位相ずれ等を推定するチャネル推定を行う。
【００３２】
又、上りリンクチャネル推定部１６は、無線端末装置のユーザ毎に、チャネル推定を行う。即ち、上りリンクチャネル推定部１６は、ユーザ毎に割り当てられている上りリンク用タイムスロットに対して、チャネル推定を行う。上りリンクチャネル推定部１６は、下りリンク（ＤＬ）タイムスロット送信ダイバーシチ制御部１４と接続しており、各ユーザのチャネル推定結果を、下りリンク（ＤＬ）タイムスロット送信ダイバーシチ制御部１４に送信する。
【００３３】
時間差測定部１３は、上りリンクチャネル推定部１６がチャネル推定を行う上りリンク用タイムスロットと、送信データを送信する無線通信チャネルの下りリンク用タイムスロットの時間差を測定する上下タイムスロット時間差測定手段である。時間差測定部１３は、無線端末装置のユーザ毎に、上下タイムスロット時間差を測定する。具体的には、時間差測定部１３は、上下タイムスロット時間差として、ユーザ毎に割り当てられているチャネル推定を行う上りリンク用タイムスロットと、ユーザ毎に割り当てられており、上記チャネル推定結果に基づく送信ダイバーシチの制御に従って、送信データを送信する下りリンク用タイムスロットとの時間差を測定する。尚、１人のユーザに、複数の上りリンク用タイムスロット、下りリンク用タイムスロットが割り当てられてもよい。
【００３４】
時間差測定部１３は、下りリンク（ＤＬ）タイムスロット送信ダイバーシチ制御部１４、上りリンクチャネル推定部１６と接続しており、上りリンクチャネル推定部１６から、ユーザ毎に割り当てられているチャネル推定を行う上りリンク用タイムスロットのタイムスロット番号を受信し、下りリンク（ＤＬ）タイムスロット送信ダイバーシチ制御部１４から、ユーザ毎に割り当てられている送信データを送信する下りリンク用タイムスロットのタイムスロット番号を受信する。そして、時間差測定部１３は、受信した各ユーザの上りリンク用タイムスロットのタイムスロット番号と、下りリンク用タイムスロットのタイムスロット番号から、上下タイムスロット時間差を測定する。
【００３５】
例えば、図２（ａ）に示すタイムスロット構成１が用いられている場合、時間差測定部１３は、以下のようにして上下タイムスロット時間差を測定することができる。図２において、下向きの矢印は、下りリンク用タイムスロットであることを意味し、上向きの矢印は、上りリンク用タイムスロットであることを意味する。又、＃ｎは、タイムスロット番号を表す。タイムスロット番号は、上りリンク用であるか下りリンク用であるかに関係なく、タイムスロットに連続番号として付与されている。
【００３６】
図２（ａ）では、ユーザ１には、タイムスロット番号＃３の上りリンク用タイムスロットと、タイムスロット番号＃９の下りリンク用タイムスロットが割り当てられ、ユーザ２には、タイムスロット番号＃４の上りリンク用タイムスロットと、タイムスロット番号＃５の下りリンク用タイムスロットが割り当てられ、ユーザ３には、タイムスロット番号＃７の上りリンク用タイムスロットと、タイムスロット番号＃６の下りリンク用タイムスロットが割り当てられている。
【００３７】
時間差測定部１３は、ユーザ１について、チャネル推定を行う時点であるタイムスロット番号＃３の上りリンク用タイムスロットと、送信データを送信する時点であるタイムスロット番号＃９の下りリンク用タイムスロットとの時間差から、ユーザ１の上下タイムスロット時間差は６タイムスロットであると求める。又、時間差測定部１３は、ユーザ２について、チャネル推定を行う時点であるタイムスロット番号＃４の上りリンク用タイムスロットと、送信データを送信する時点であるタイムスロット番号＃５の下りリンク用タイムスロットとの時間差から、ユーザ２の上下タイムスロット時間差は１タイムスロットであると求める。
【００３８】
更に、時間差測定部１３は、ユーザ３について、チャネル推定を行う時点である１フレーム前のタイムスロット番号ｐｒｅ＃７の上りリンク用タイムスロットと、送信データを送信する時点であるタイムスロット番号＃６の下りリンク用タイムスロットとの時間差から、ユーザ３の上下タイムスロット時間差は１４タイムスロットであると求める。時間差測定部１３は、各ユーザの上下タイムスロット時間差測定結果を、下りリンク（ＤＬ）タイムスロット送信ダイバーシチ制御部１４に送信する。
【００３９】
下りリンク（ＤＬ）タイムスロットダイバーシチ制御部１４は、下りリンク用タイムスロットについて、送信ダイバーシチを制御する送信ダイバーシチ制御手段である。下りリンク（ＤＬ）タイムスロットダイバーシチ制御部１４は、拡散部１２と接続しており、拡散部１２から、下りリンク用タイムスロットを用いて送信する送信データを受信する。
【００４０】
下りリンク（ＤＬ）タイムスロットダイバーシチ制御部１４は、無線端末装置のユーザ毎に、送信ダイバーシチを制御する。具体的には、下りリンク（ＤＬ）タイムスロットダイバーシチ制御部１４は、上りリンクチャネル推定部１６、時間差測定部１３と接続している。下りリンク（ＤＬ）タイムスロットダイバーシチ制御部１４は、上りリンクチャネル推定部１６から、各ユーザの上りリンク用タイムスロットに対するチャネル推定結果を受信する。又、下りリンク（ＤＬ）タイムスロットダイバーシチ制御部１４は、時間差測定部１３から、各ユーザの上下タイムスロット時間差測定結果を受信する。
【００４１】
下りリンク（ＤＬ）タイムスロットダイバーシチ制御部１４は、各ユーザのチャネル推定結果、上下タイムスロット時間差測定結果に基づいて、それらと対応する下りリンク用タイムスロットにおける送信ダイバーシチを、ユーザ毎に制御する。具体的には、下りリンク（ＤＬ）タイムスロットダイバーシチ制御部１４は、まず、各ユーザの下りリンク用タイムスロットにおいて、送信ダイバーシチを適用するか否かを決定したり、どのような送信ダイバーシチを適用するか、即ち、適用する送信ダイバーシチの種類を決定したりする。
【００４２】
ここで、送信ダイバーシチの種類には、ＳＴＤ（Ｓｅｌｅｃｔｉｏｎ　Ｔｒａｎｓｍｉｔ　Ｄｉｖｅｒｓｉｔｙ）、ＴｘＡＡ、ＴＳＴＤ（Ｔｉｍｅ　Ｓｗｉｔｃｈｅｄ　Ｔｒａｎｓｍｉｔ　Ｄｉｖｅｒｓｉｔｙ）等がある。ＳＴＤは、アンテナ部１５ａ１とアンテナ部１５ａ２のどちらか一方に重み付け係数１、他方に重み付け係数０を付与して、重み付けの処理を行い、いずれか一方のアンテナ部１５ａ１，１５ａ２を選択する。そして、重み付け係数１が付与されたアンテナ部１５ａ１，１５ａ２のみが、送信データを送信する。
【００４３】
ＴｘＡＡは、それぞれのアンテナ部１５ａ１，アンテナ部１５ａ２に、重み付け係数を付加して重み付け処理を行い、全てのアンテナ部１５ａ１，１５ａ２が、重み付けに係数に応じた送信電力で送信データを送信する。ＴＳＴＤは、下りリンク用タイムスロット毎に送信データを送信するアンテナ部１５ａ１，１５ａ２を切り替え、どちらか一方のアンテナ部１５ａ１，１５ａ２のみが、送信データを送信する。
【００４４】
よって、各ユーザの下りリンク用タイムスロットにおいて、送信ダイバーシチを適用するか否かを決定したり、適用する送信ダイバーシチの種類を決定したりした後、下りリンク（ＤＬ）タイムスロットダイバーシチ制御部１４は、上りリンクチャネル推定部１６から受信した各ユーザのチャネル推定結果を用いて、送信ダイバーシチを適用する各ユーザの下りリンク用タイムスロットにおいて、アンテナ部部１５ａ１，１５ａ２に付与する重み付け係数を決定したり、用いるアンテナ部１５ａ１，１５ａ２を決定したりする。
【００４５】
例えば、図２（ａ）に示すタイムスロット構成１が用いられている場合、下りリンク（ＤＬ）タイムスロットダイバーシチ制御部１４は、以下のようにして送信ダイバーシチを制御することができる。下りリンク（ＤＬ）タイムスロットダイバーシチ制御部１４は、ユーザ２に関し、上下タイムスロット時間差が１タイムスロットであるという上下タイムスロット時間差測定結果を、時間差測定部１３から受信する。下りリンク（ＤＬ）タイムスロットダイバーシチ制御部１４は、上下タイムスロット時間差が１タイムスロットと非常に小さいため、精度良く送信ダイバーシチを制御することが可能であると判断し、タイムスロット番号＃５の下りリンク用タイムスロットを用いてユーザ２に宛てた送信データを送信する際には、送信ダイバーシチを適用すると決定する。
【００４６】
又、下りリンク（ＤＬ）タイムスロットダイバーシチ制御部１４は、ユーザ１に関し、上下タイムスロット時間差が６タイムスロットであるという上下タイムスロット時間差測定結果を、時間差測定部１３から受信する。下りリンク（ＤＬ）タイムスロットダイバーシチ制御部１４は、上下タイムスロット時間差が６タイムスロットと比較的小さいため、タイムスロット番号＃３とタイムスロット番号＃９のタイムスロットの時点で、無線通信チャネルの状況が変化している可能性は低いと判断し、タイムスロット番号＃９の下りリンク用タイムスロットを用いてユーザ１に宛てた送信データを送信する際には、送信ダイバーシチを適用すると決定する。
【００４７】
又、下りリンク（ＤＬ）タイムスロットダイバーシチ制御部１４は、ユーザ３に関し、上下タイムスロット時間差が１４タイムスロットであるという上下タイムスロット時間差測定結果を、時間差測定部１３から受信する。下りリンク（ＤＬ）タイムスロットダイバーシチ制御部１４は、上下タイムスロット時間差が１４タイムスロットと非常に大きいため、１つ前のフレームのタイムスロット番号Ｐｒｅ＃７とタイムスロット番号＃６のタイムスロットの時点で、無線通信チャネルの状況が変化している可能性は高いと判断し、タイムスロット番号＃６の下りリンク用タイムスロットを用いてユーザ３に宛てた送信データを送信する際には、送信ダイバーシチを適用しないと決定する。
【００４８】
又、下りリンク（ＤＬ）タイムスロットダイバーシチ制御部１４は、ユーザ２に関し、上下タイムスロット時間差が１タイムスロットと非常に小さいため、精度良く送信ダイバーシチを制御することが可能であると判断し、タイムスロット番号＃５の下りリンク用タイムスロットを用いてユーザ２に宛てた送信データを送信する際には、送信ダイバーシチの種類としてＳＴＤを適用すると決定することもできる。
【００４９】
又、下りリンク（ＤＬ）タイムスロットダイバーシチ制御部１４は、ユーザ１に関し、上下タイムスロット時間差が６タイムスロットと比較的小さいため、タイムスロット番号＃３とタイムスロット番号＃９のタイムスロットの時点で、無線通信チャネルの状況が変化している可能性は低いと判断し、タイムスロット番号＃９の下りリンク用タイムスロットを用いてユーザ１に宛てた送信データを送信する際には、送信ダイバーシチの種類としてＳＴＤを適用すると決定することもできる。
【００５０】
又、下りリンク（ＤＬ）タイムスロットダイバーシチ制御部１４は、ユーザ３に関し、上下タイムスロット時間差が１４タイムスロットと非常に大きいため、１つ前のフレームのタイムスロット番号Ｐｒｅ＃７とタイムスロット番号＃６のタイムスロットの時点で、無線通信チャネルの状況が変化している可能性は高いと判断し、タイムスロット番号＃６の下りリンク用タイムスロットを用いてユーザ３に宛てた送信データを送信する際には、送信ダイバーシチの種類としてＴｘＡＡを適用すると決定することもできる。
【００５１】
次に、いずれの場合にも、下りリンク（ＤＬ）タイムスロットダイバーシチ制御部１４は、上りリンクチャネル推定部１６から受信したチャネル推定結果を用いて、送信ダイバーシチを適用する各ユーザの下りリンク用タイムスロットにおいて最適となるように、アンテナ部１５ａ１，１５ａ２に付与する重み付け係数を決定したり、用いるアンテナ部１５ａ１，１５ａ２を決定したりする。
【００５２】
又、下りリンク（ＤＬ）タイムスロットダイバーシチ制御部１４は、上下タイムスロット時間差が小さい場合には、送信ダイバーシチ制御の精度は高くないが、処理が簡単な送信ダイバーシチ制御を行うようにし、上下タイムスロット時間差が大きい場合には、処理は簡単ではないが、送信ダイバーシチ制御の精度が高い送信ダイバーシチ制御を行うようにしてもよい。
【００５３】
下りリンク（ＤＬ）タイムスロットダイバーシチ制御部１４は、送信処理部１５と接続しており、拡散部１２から受信した下りリンク用タイムスロットで送信する送信データを、送信処理部１５に送信する。又、下りリンク（ＤＬ）タイムスロットダイバーシチ制御部１４は、下りリンク用タイムスロットについて決定した結果、即ち、送信ダイバーシチを適用するか否か、適用する送信ダイバーシチの種類、アンテナ部１５ａ１，１５ａ２に付与した重み付け係数、用いるアンテナ部１５ａ１，１５ａ２等に従って、各ユーザの下りリンク用タイムスロット毎に、送信処理部１５を制御する。
【００５４】
送信処理部１５は、下りリンク（ＤＬ）タイムスロットダイバーシチ制御部１４による制御に基づいて、下りリンク用タイムスロットを用いて送信データを送信する送信手段である。送信処理部１５は、下りリンク（ＤＬ）タイムスロットダイバーシチ制御部１４と、アンテナ部１５ａ１，１５ａ２と接続しており、下りリンク（ＤＬ）タイムスロットダイバーシチ制御部１４から受信した各ユーザの下りリンク用タイムスロット毎の送信データに対して、下りリンク（ＤＬ）タイムスロットダイバーシチ制御部１４による制御に従って、送信ダイバーシチに関する処理を行う。即ち、送信処理部１５は、各ユーザの下りリンク用タイムスロット毎に、送信データに対して送信ダイバーシチに関する処理を行う。
【００５５】
例えば、送信処理部１５は、送信ダイバーシチに関する処理として、送信データを送信するアンテナ部１５ａ１，１５ａ２の選択や、アンテナ部１５ａ１，１５ａ２毎の重み付け処理等を行う。即ち、送信処理部１５は、送信データの送信系統の選択や、送信系統毎の重み付け処理等を行う。送信処理部１５は、送信ダイバーシチに関する処理が行われた送信データに対して、必要に応じてフィルタリング処理等を施した後、各ユーザの送信データを、各ユーザに割り当てられた下りリンク用タイムスロットを用いて、アンテナ部１５ａ１，１５ａ２を介して、無線端末装置に対して送信する。
【００５６】
（無線通信制御方法）
次に、上記構成を有する無線基地局１０を用いた無線通信制御方法について説明する。図３は、本発明の第１の実施の形態に係る無線通信制御方法の手順を示すフロー図である。図３は、無線基地局１０が、無線基地局１０に入力された送信データを、無線通信チャネルを介して無線端末装置に送信するまでの手順を示している。
【００５７】
まず、送信データが、符号化部１１に入力される（Ｓ１０１）。符号化部１１は、入力された送信データに対して、所定の方式で符号化処理、インターリーブを行い、その送信データを、拡散部１２に送信する。拡散部１２は、符号化部１１から受信した送信データに対して、所定の方式で拡散処理、スクランブル処理を行い、その送信データを、下りリンク（ＤＬ）タイムスロットダイバーシチ制御部１４に送信する。
【００５８】
次に、時間差測定部１３は、ユーザ毎に、上下タイムスロット時間差を測定し、上下タイムスロット時間差測定結果を下りリンク（ＤＬ）タイムスロットダイバーシチ制御部１４に送信する。又、上りリンクチャネル推定部１６が、ユーザ毎に、上りリンク用タイムスロットに対してチャネル推定を行い、チャネル推定結果を下りリンク（ＤＬ）タイムスロットダイバーシチ制御部１４に送信する（Ｓ１０２）。
【００５９】
下りリンク（ＤＬ）タイムスロットダイバーシチ制御部１４は、拡散部１２から下りリンク用タイムスロットを用いて送信する送信データを受信し、時間差測定部１３、上りリンクチャネル推定部１６から、それぞれ各ユーザの上下タイムスロット時間差測定結果、各ユーザの上りリンク用タイムスロットに対するチャネル推定結果を受信する。そして、下りリンク（ＤＬ）タイムスロットダイバーシチ制御部１４は、チャネル推定結果、上下タイムスロット時間差測定結果に基づいて、ユーザ毎に、下りリンク用タイムスロットにおける送信ダイバーシチを制御する（Ｓ１０３）。
【００６０】
具体的には、下りリンク（ＤＬ）タイムスロットダイバーシチ制御部１４は、各ユーザの下りリンク用タイムスロットにおいて、送信ダイバーシチを適用するか否かを決定したり、適用する送信ダイバーシチの種類を決定したり、送信ダイバーシチを適用する各下りリンク用タイムスロットにおいて、アンテナ部１５ａ１，１５ａ２に付与する重み付け係数を決定したり、用いるアンテナ部１５ａ１，１５ａ２を決定したりする。
【００６１】
下りリンク（ＤＬ）タイムスロットダイバーシチ制御部１４は、拡散部１２から受信した各ユーザの下りリンク用タイムスロットで送信する送信データを、送信処理部１５に送信する。又、下りリンク（ＤＬ）タイムスロットダイバーシチ制御部１４は、各ユーザの下りリンク用タイムスロットについて決定した結果、即ち、送信ダイバーシチを適用するか否か、適用する送信ダイバーシチの種類、アンテナ部１５ａ１，１５ａ２に付与した重み付け係数等に従って、各ユーザの下りリンク用タイムスロット毎に、送信処理部１５を制御する。
【００６２】
そして、送信処理部１５は、下りリンク（ＤＬ）タイムスロットダイバーシチ制御部１４から受信した各ユーザの下りリンク用タイムスロット毎の送信データに対して、下りリンク（ＤＬ）タイムスロットダイバーシチ制御部１４による制御に従って、送信データを送信するアンテナ部１５ａ１，１５ａ２の選択や、アンテナ部１５ａ１，１５ａ２毎の重み付け処理等の送信ダイバーシチに関する処理を行う。送信処理部１５は、送信ダイバーシチに関する処理が行われた送信データに対して、必要に応じてフィルタリング処理等を施した後、各ユーザの送信データを、各ユーザの下りリンク用タイムスロットを用いて、アンテナ部１５ａ１，１５ａ２を介して、無線端末装置に対して送信する（Ｓ１０４）。
【００６３】
（効果）
このような本発明の第１の実施の形態に係る無線基地局１０及び無線通信制御方法によれば、上りリンクチャネル推定部１６が、ユーザ毎に、無線通信チャネルの上りリンク用タイムスロットに対してチャネル推定を行い、時間差測定部１３が、ユーザ毎に割り当てられているチャネル推定を行う上りリンク用タイムスロットと、ユーザ毎に割り当てられており、上記チャネル推定結果に基づく送信ダイバーシチ制御に従って、送信データを送信する下りリンク用タイムスロットとの時間差を測定する。下りリンク（ＤＬ）タイムスロット送信ダイバーシチ制御部１４は、各ユーザのチャネル推定結果及び各ユーザの上下タイムスロット時間差測定結果に基づいて、各ユーザの下りリンク用タイムスロットについて送信ダイバーシチを制御する。そして、送信処理部１５が、その制御に基づいて、各ユーザの下りリンク用タイムスロットを用いて送信データを送信する。
【００６４】
そのため、下りリンク（ＤＬ）タイムスロット送信ダイバーシチ制御部１４は、チャネル推定結果だけでなく、実際に上りリンクチャネル推定部１６がチャネル推定を行う各ユーザの上りリンク用タイムスロットと、そのチャネル推定結果に基づく送信ダイバーシチ制御に従って、送信データを送信する各ユーザの下りリンク用タイムスロットとの上下タイムスロット時間差を監視しながら、各ユーザに割り当てられた下りリンク用タイムスロットについて、送信ダイバーシチを制御することができる。そして、送信処理部１５が、その制御に基づいて、各ユーザの下りリンク用タイムスロットを用いて送信データを送信する。
【００６５】
その結果、無線基地局１０は、ユーザ毎に、送信ダイバーシチを適切に適用できる。例えば、送信データを送信する際には、上りリンク用タイムスロットについてのチャネル推定結果の精度が劣化していると判断されるユーザへの送信データの送信には、送信ダイバーシチを適用しないというように、無線通信チャネルを割り当てられたユーザ毎に最適な送信ダイバーシチの適用となるよう制御できる。よって、無線基地局１０は、伝送品質特性の劣化を抑えた無線通信を行うことができる。
【００６６】
［第２の実施の形態］
本発明の第２の実施の形態について、図面を参照しながら説明する。
【００６７】
（無線基地局）
図４は、本発明の第２の実施の形態に係る無線基地局２０の構成を示すブロック図である。本実施形態でも、タイムスロットを無線通信チャネルとして用いる場合を例にとって説明する。又、本実施形態でも、図２（ａ）に示すタイムスロット構成１が用いられている場合を例にとって説明する。図４に示すように、無線基地局２０は、符号化部２１と、拡散部２２と、時間差測定部２３と、下りリンク（ＤＬ）タイムスロット送信ダイバーシチ制御部２４と、送信処理部２５と、アンテナ部２５ａ１，２５ａ２と、上りリンクチャネル推定部２６と、フェージング周波数推定部２７とから構成される。
【００６８】
符号化部２１、拡散部２２、時間差測定部２３、送信処理部２５、アンテナ部２５ａ１，２５ａ２、上りリンクチャネル推定部２６は、図１に示した符号化部１１、拡散部１２、時間差測定部１３、送信処理部１５、アンテナ部部１５ａ１，１５ａ２、上りリンクチャネル推定部１６と実質的に同様である。
【００６９】
フェージング周波数推定部２７は、無線通信チャネルのフェージングの状態を推定するフェージング状態推定手段の１つである。フェージング周波数推定部２７は、無線通信チャネルのフェージングの状態として、無線通信チャネルのフェージング周波数を推定するフェージング周波数推定手段である。フェージング周波数推定部２７は、アンテナ部２５ａ１，２５ａ２と接続しており、アンテナ部２５ａ１，２５ａ２と、無線端末装置との間に設定されている無線通信チャネルが受けているフェージングの状態を監視し、無線通信チャネルのフェージング周波数を推定する。又、フェージング周波数推定部２７は、ユーザ毎にフェージング周波数を推定する。例えば、フェージング周波数推定部２７は、ユーザが使用する無線端末装置が高速で移動している場合には、フェージング周波数が大きいと推定し、ユーザが使用する無線端末装置が低速で移動している場合には、フェージング周波数が小さいと推定する。
【００７０】
フェージング周波数推定部２７は、下りリンク（ＤＬ）タイムスロット送信ダイバーシチ制御部２４と接続しており、フェージング状態推定結果として、ユーザ毎にフェージング周波数を推定した結果（以下「フェージング周波数推定結果」という）を、下りリンク（ＤＬ）タイムスロット送信ダイバーシチ制御部２４に送信する。
【００７１】
下りリンク（ＤＬ）タイムスロット送信ダイバーシチ制御部２４は、上りリンクチャネル推定部２６、時間差測定部２３、フェージング周波数推定部２７と接続している。下りリンク（ＤＬ）タイムスロットダイバーシチ制御部２４は、上りリンクチャネル推定部２６から、各ユーザの上りリンク用タイムスロットに対するチャネル推定結果を受信する。又、下りリンク（ＤＬ）タイムスロットダイバーシチ制御部２４は、時間差測定部２３から、各ユーザの上下タイムスロット時間差測定結果を受信する。又、下りリンク（ＤＬ）タイムスロットダイバーシチ制御部２４は、フェージング周波数推定部２７から、各ユーザのフェージング周波数推定結果を受信する。
【００７２】
下りリンク（ＤＬ）タイムスロットダイバーシチ制御部２４は、各ユーザのチャネル推定結果、上下タイムスロット時間差測定結果及びフェージング周波数推定結果に基づいて、チャネル推定結果、上下タイムスロット時間差測定結果と対応する下りリンク用タイムスロットにおける送信ダイバーシチを、ユーザ毎に制御する。具体的には、下りリンク（ＤＬ）タイムスロットダイバーシチ制御部２４は、まず、各ユーザの下りリンク用タイムスロットにおいて、送信ダイバーシチを適用するか否かを決定したり、どのような送信ダイバーシチを適用するか、即ち、適用する送信ダイバーシチの種類を決定したりする。
【００７３】
例えば、フェージング周波数推定部２７が、ユーザ１、ユーザ２については、高速移動しており、フェージング周波数が大きいと推定し、ユーザ３については、低速移動しており、フェージング周波数が小さいと推定した場合について考える。
【００７４】
下りリンク（ＤＬ）タイムスロットダイバーシチ制御部２４は、ユーザ２に関し、上下タイムスロット時間差が１タイムスロットであるという上下タイムスロット時間差測定結果を、時間差測定部２３から受信し、フェージング周波数が大きいというフェージング周波数推定結果を、フェージング周波数推定部２７から受信する。下りリンク（ＤＬ）タイムスロットダイバーシチ制御部２４は、上下タイムスロット時間差が１タイムスロットと非常に小さいため、たとえフェージング周波数が大きくても、精度良く送信ダイバーシチを制御することが可能であると判断し、タイムスロット番号＃５の下りリンク用タイムスロットを用いてユーザ２に宛てた送信データを送信する際には、送信ダイバーシチを適用すると決定する。
【００７５】
又、下りリンク（ＤＬ）タイムスロットダイバーシチ制御部２４は、ユーザ１に関し、上下タイムスロット時間差が６タイムスロットであるという上下タイムスロット時間差測定結果を、時間差測定部２３から受信し、フェージング周波数が大きいというフェージング周波数推定結果を、フェージング周波数推定部２７から受信する。下りリンク（ＤＬ）タイムスロットダイバーシチ制御部２４は、上下タイムスロット時間差が６タイムスロットと比較的小さいが、フェージング周波数が大きいため、タイムスロット番号＃３とタイムスロット番号＃９のタイムスロットの時点で、無線通信チャネルの状況が変化している可能性が高いと判断し、タイムスロット番号＃９の下りリンク用タイムスロットを用いてユーザ１に宛てた送信データを送信する際には、送信ダイバーシチを適用しないと決定する。
【００７６】
又、下りリンク（ＤＬ）タイムスロットダイバーシチ制御部２４は、ユーザ３に関し、上下タイムスロット時間差が１４タイムスロットであるという上下タイムスロット時間差測定結果を、時間差測定部２３から受信し、フェージング周波数が小さいというフェージング周波数推定結果を、フェージング周波数推定部２７から受信する。下りリンク（ＤＬ）タイムスロットダイバーシチ制御部２４は、上下タイムスロット時間差が１４タイムスロットと非常に大きいが、フェージング周波数が小さいため、１つ前のフレームのタイムスロット番号Ｐｒｅ＃７とタイムスロット番号＃６のタイムスロットの時点で、無線通信チャネルの状況が変化している可能性は低いと判断し、タイムスロット番号＃６の下りリンク用タイムスロットを用いてユーザ３に宛てた送信データを送信する際には、送信ダイバーシチを適用すると決定する。
【００７７】
又、下りリンク（ＤＬ）タイムスロットダイバーシチ制御部２４は、ユーザ２に関し、上下タイムスロット時間差が１タイムスロットと非常に小さいため、たとえフェージング周波数が大きくても、精度良く送信ダイバーシチを制御することが可能であると判断し、タイムスロット番号＃５の下りリンク用タイムスロットを用いてユーザ２に宛てた送信データを送信する際には、送信ダイバーシチの種類としてＳＴＤを適用すると決定することもできる。
【００７８】
又、下りリンク（ＤＬ）タイムスロットダイバーシチ制御部２４は、ユーザ１に関し、上下タイムスロット時間差が６タイムスロットと比較的小さいが、フェージング周波数が大きいため、タイムスロット番号＃３とタイムスロット番号＃９のタイムスロットの時点で、無線通信チャネルの状況が変化している可能性が高いと判断し、タイムスロット番号＃９の下りリンク用タイムスロットを用いてユーザ１に宛てた送信データを送信する際には、送信ダイバーシチの種類としてＴｘＡＡを適用すると決定することもできる。
【００７９】
又、下りリンク（ＤＬ）タイムスロットダイバーシチ制御部２４は、ユーザ３に関し、上下タイムスロット時間差が１４タイムスロットと非常に大きいが、フェージング周波数が小さいため、１つ前のフレームのタイムスロット番号Ｐｒｅ＃７とタイムスロット番号＃６のタイムスロットの時点で、無線通信チャネルの状況が変化している可能性は低いと判断し、タイムスロット番号＃６の下りリンク用タイムスロットを用いてユーザ３に宛てた送信データを送信する際には、送信ダイバーシチの種類としてＳＴＤを適用すると決定することもできる。
【００８０】
次に、いずれの場合にも、下りリンク（ＤＬ）タイムスロットダイバーシチ制御部２４は、上りリンクチャネル推定部２６から受信したチャネル推定結果を用いて、送信ダイバーシチを適用する各ユーザの下りリンク用タイムスロットにおいて最適となるように、アンテナ部２５ａ１，２５ａ２に付与する重み付け係数を決定したり、用いるアンテナ部２５ａ１，２５ａ２を決定したりする。
【００８１】
又、下りリンク（ＤＬ）タイムスロットダイバーシチ制御部２４は、上下タイムスロット時間差が小さく、フェージング周波数も小さい場合には、送信ダイバーシチ制御の精度は高くないが、処理が簡単な送信ダイバーシチ制御を行うようにし、上下タイムスロット時間差が大きく、フェージング周波数が大きい場合には、処理は簡単ではないが、送信ダイバーシチ制御の精度が高い送信ダイバーシチ制御を行うようにしてもよい。尚、下りリンク（ＤＬ）タイムスロットダイバーシチ制御部２４は、上記した点以外は、図１に示した下りリンク（ＤＬ）タイムスロットダイバーシチ制御部１４と実質的に同様である。
【００８２】
（無線通信制御方法）
次に、上記構成を有する無線基地局２０を用いた無線通信制御方法について説明する。図５は、本発明の第２の実施の形態に係る無線通信制御方法の手順を示すフロー図である。図５は、無線基地局２０が、無線基地局２０に入力された送信データを、無線通信チャネルを介して無線端末装置に送信するまでの手順を示している。まず、ステップ（Ｓ２０１）、（Ｓ２０２）を行う。ステップ（Ｓ２０１）、（Ｓ２０２）は、図３に示したステップ（Ｓ１０１）、（Ｓ１０２）と実質的に同様である。
【００８３】
次に、フェージング周波数推定部２７は、ユーザ毎に無線通信チャネルのフェージング周波数を推定し、そのフェージング周波数推定結果を、下りリンク（ＤＬ）タイムスロットダイバーシチ制御部２４に送信する（Ｓ２０３）。次に、下りリンク（ＤＬ）タイムスロットダイバーシチ制御部２４は、拡散部２２から下りリンク用タイムスロットを用いて送信する送信データを受信し、時間差測定部２３、上りリンクチャネル推定部２６、フェージング周波数推定部２７から、それぞれ、各ユーザの上下タイムスロット時間差測定結果、各ユーザの上りリンク用タイムスロットに対するチャネル推定結果、各ユーザのフェージング周波数推定結果を受信する。
【００８４】
そして、下りリンク（ＤＬ）タイムスロットダイバーシチ制御部２４は、チャネル推定結果、上下タイムスロット時間差測定結果、フェージング周波数推定結果に基づいて、ユーザ毎に、下りリンク用タイムスロットにおける送信ダイバーシチを制御する（Ｓ２０４）。具体的には、下りリンク（ＤＬ）タイムスロットダイバーシチ制御部２４は、各ユーザの下りリンク用タイムスロットにおいて、送信ダイバーシチを適用するか否かを決定したり、適用する送信ダイバーシチの種類を決定したり、送信ダイバーシチを適用する各下りリンク用タイムスロットにおいて、アンテナ部２５ａ１，２５ａ２に付与する重み付け係数を決定したり、用いるアンテナ部２５ａ１，２５ａ２を決定したりする。
【００８５】
下りリンク（ＤＬ）タイムスロットダイバーシチ制御部２４は、拡散部２２から受信した各ユーザの下りリンク用タイムスロットで送信する送信データを、送信処理部２５に送信する。又、下りリンク（ＤＬ）タイムスロットダイバーシチ制御部２４は、各ユーザの下りリンク用タイムスロットについて決定した結果、即ち、送信ダイバーシチを適用するか否か、適用する送信ダイバーシチの種類、アンテナ部２５ａ１，２５ａ２に付与した重み付け係数等に従って、各ユーザの下りリンク用タイムスロット毎に、送信処理部２５を制御する。最後に、ステップ（Ｓ２０５）を行う。ステップ（Ｓ２０５）は、図３に示したステップ（Ｓ１０４）と実質的に同様である。
【００８６】
（効果）
このような本発明の第２の実施の形態に係る無線基地局２０及び無線通信制御方法によれば、フェージング周波数推定部２７が、無線通信チャネルのフェージング周波数を推定する。そして、下りリンク（ＤＬ）タイムスロットダイバーシチ制御部２４は、チャネル推定結果、上下タイムスロット時間差測定結果に加えて、フェージング周波数推定結果に基づいて、送信ダイバーシチを制御する。
【００８７】
そのため、下りリンク（ＤＬ）タイムスロットダイバーシチ制御部２４は、チャネル推定結果、上下タイムスロット時間差測定結果に加えて、フェージング周波数推定結果を監視しながら、各ユーザに割り当てられた下りリンク用タイムスロットについて、送信ダイバーシチを制御することができる。よって、下りリンク（ＤＬ）タイムスロットダイバーシチ制御部２４は、フェージング周波数を判断基準の一つとして用い、実際の無線環境（フェージングの状態）に応じて最適となるように送信ダイバーシチの制御を行うことができる。
【００８８】
例えば、送信データを送信する際には、上りリンク用タイムスロットについてのチャネル推定結果の精度が劣化していると判断されるユーザへの送信データの送信には、送信ダイバーシチを適用しないというように、無線通信チャネルを割り当てられたユーザ毎に、そのときのフェージングの状態にとって最適な送信ダイバーシチの適用となるよう制御できる。その結果、無線基地局２０は、送信ダイバーシチを適切に適用して、伝送品質の劣化を更に抑えた無線通信を行うことができる。
【００８９】
［第３の実施の形態］
本発明の第３の実施の形態について、図面を参照しながら説明する。
【００９０】
（無線基地局）
図６は、本発明の第３の実施の形態に係る無線基地局３０の構成を示すブロック図である。本実施形態でも、タイムスロットを無線通信チャネルとして用いる場合を例にとって説明する。又、本実施形態では、図２（ｂ）に示すタイムスロット構成２が用いられている場合を例にとって説明する。図２（ｂ）では、ユーザ１には、タイムスロット番号＃３，＃４の２つの上りリンク用タイムスロットと、タイムスロット番号＃７の下りリンク用タイムスロットが割り当てられ、ユーザ２には、タイムスロット番号＃５，＃６の２つの上りリンク用タイムスロットと、タイムスロット番号＃１３の下りリンク用タイムスロットが割り当てられている。又、本実施形態では、タイムスロット番号＃４，＃６の上りリンク用タイムスロットに対するチャネル推定結果を送信ダイバーシチ制御に利用して、送信データを送信する。
【００９１】
図６に示すように、無線基地局３０は、符号化部３１と、拡散部３２と、時間差測定部３３と、下りリンク（ＤＬ）タイムスロットダイバーシチ制御部３４と、送信処理部３５と、アンテナ部３５ａ１，３５ａ２と、上りリンクチャネル推定部３６と、チャネル時間変化予測部３７とから構成される。符号化部３１、拡散部３２、時間差測定部３３、送信処理部３５、アンテナ部３５ａ１，３５ａ２は、図１に示した符号化部１１、拡散部１２、時間差測定部１３、送信処理部１５、アンテナ部１５ａ１，１５ａ２と実質的に同様である。
【００９２】
但し、本実施形態では、図２（ｂ）に示すタイムスロット構成２が用いられ、タイムスロット番号＃４，＃６の上りリンク用タイムスロットに対するチャネル推定結果が送信ダイバーシチ制御に利用される。そのため、時間差測定部３３は、ユーザ１について、送信ダイバーシチ制御に利用する上りリンク用タイムスロットに対してチャネル推定を行う時点であるタイムスロット番号＃４の上りリンク用タイムスロットと、送信データを送信する時点であるタイムスロット番号＃７の下りリンク用タイムスロットとの時間差から、ユーザ１の上下タイムスロット時間差は３タイムスロットであると求める。又、時間差測定部３３は、ユーザ２について、送信ダイバーシチ制御に利用するチャネル推定を行う時点であるタイムスロット番号＃６の上りリンク用タイムスロットと、送信データを送信する時点であるタイムスロット番号＃１３の下りリンク用タイムスロットとの時間差から、ユーザ２の上下タイムスロット時間差は７タイムスロットであると求める。
【００９３】
上りリンクチャネル推定部３６は、時間差測定部３３、下りリンク（ＤＬ）タイムスロットダイバーシチ制御部３４、アンテナ部３５ａ１，３５ａ２に加えて、チャネル時間変化予測部３７とも接続しており、チャネル推定結果を、チャネル時間変化予測部３７にも送信する。それ以外は、上りリンクチャネル推定部３６は、図１に示した上りリンクチャネル推定部１６と実質的に同様である。
【００９４】
チャネル時間変化予測部３７は、無線通信チャネルのフェージングの状態を推定するフェージング状態推定手段の１つである。チャネル時間変化予測部３７は、無線通信チャネルのフェージングの状態として、無線通信チャネルの状態の時間経過に伴う変化、即ち、チャネル時間変化を予測するチャネル時間変化予測手段である。チャネル時間変化は、フェージング周波数に相当するものである。チャネル時間変化予測部３７は、複数の上りリンク用タイムスロットについてのチャネル推定結果から、フェージング変動により生じるチャネル時間変化を予測する。
【００９５】
チャネル時間変化予測部３７は、上りリンクチャネル推定部３６と接続しており、上りリンクチャネル推定部３６から、複数の上りリンク用タイムスロットに対するチャネル推定結果を受信し、それらのチャネル推定結果の変化に基づいて、チャネル時間変化を予測する。尚、チャネル時間変化予測部３７は、ユーザ毎にチャネル時間変化を予測する。そのため、チャネル時間変化予測部３７は、１人のユーザに割り当てられている複数の上りリンク用タイムスロットに対するチャネル推定結果を基に、そのユーザに割り当てられている上りリンク用タイムスロットについてのチャネル時間変化を予測する。
【００９６】
図２（ｂ）に示すタイムスロット構成２が用いられている場合、チャネル時間変化予測部３７は、ユーザ１に関し、上りリンクチャネル推定部３６から、ユーザ１に割り当てられているタイムスロット番号＃３，＃４の上りリンク用タイムスロットに対するチャネル推定結果を受信し、ユーザ１に割り当てられている上りリンク用タイムスロットについてのチャネル時間変化を予測する。又、チャネル時間変化予測部３７は、ユーザ２に関し、上りリンクチャネル推定部３６から、ユーザ２に割り当てられているタイムスロット番号＃５，＃６の上りリンク用タイムスロットに対するチャネル推定結果を受信し、ユーザ２に割り当てられている上りリンク用タイムスロットについてのチャネル時間変化を予測する。又、チャネル時間変化予測部３７は、下りリンク（ＤＬ）タイムスロットダイバーシチ制御部３４と接続しており、チャネル時間変化を予測した結果（以下「チャネル時間変化予測結果」という）を、下りリンク（ＤＬ）タイムスロットダイバーシチ制御部３４に送信する。
【００９７】
下りリンク（ＤＬ）タイムスロットダイバーシチ制御部３４は、時間差測定部３３と、上りリンクチャネル推定部３６、チャネル時間変化予測部３７と接続している。下りリンク（ＤＬ）タイムスロットダイバーシチ制御部３４は、上りリンクチャネル推定部３６から、各ユーザの上りリンク用タイムスロットに対するチャネル推定結果を受信する。又、下りリンク（ＤＬ）タイムスロットダイバーシチ制御部３４は、時間差測定部３３から、各ユーザの上下タイムスロット時間差測定結果を受信する。又、下りリンク（ＤＬ）タイムスロットダイバーシチ制御部３４は、チャネル時間変化予測部２７から、各ユーザのチャネル時間変化予測結果を受信する。
【００９８】
下りリンク（ＤＬ）タイムスロットダイバーシチ制御部３４は、各ユーザのチャネル推定結果、上下タイムスロット時間差測定結果及びチャネル時間変化予測結果に基づいて、チャネル推定結果、上下タイムスロット時間差測定結果と対応する下りリンク用タイムスロットにおける送信ダイバーシチを、ユーザ毎に制御する。具体的には、下りリンク（ＤＬ）タイムスロットダイバーシチ制御部３４は、まず、各ユーザの下りリンク用タイムスロットにおいて、送信ダイバーシチを適用するか否かを決定したり、どのような送信ダイバーシチを適用するか、即ち、適用する送信ダイバーシチの種類を決定したりする。
【００９９】
例えば、チャネル時間変化予測部３７が、ユーザ１に関し、受信したチャネル推定結果から、アンテナ部３５ａ１の受信電力の時間経過に伴う変化（以下「受信電力の経時変化」という）は、タイムスロット番号＃３、タイムスロット番号＃４の順番に増大する傾向にある、アンテナ部３５ａ２の受信電力の経時変化は、タイムスロット番号＃３、タイムスロット番号＃４の順番に減少する傾向にあるというチャネル時間変化を観測した場合を考える。更に、この時、上りリンクチャネル推定部３６が、タイムスロット番号＃４の上りリンク用タイムスロットに対して、アンテナ部３５ａ１の受信電力は、アンテナ部３５ａ２の受信電力よりも大きいというチャネル推定を行った場合を考える。
【０１００】
この場合、チャネル時間変化予測部３７は、ユーザ１について、アンテナ部３５ａ１の受信電力は、増大傾向にあるため今後も増大し、アンテナ部３５ａ２の受信電力は、減少傾向にあるため今後も減少するというチャネル時間変化を示すと予測する。
【０１０１】
下りリンク（ＤＬ）タイムスロットダイバーシチ制御部３４は、ユーザ１に関し、上記したチャネル推定結果と、チャネル時間変化予測結果を、上りリンクチャネル推定部３６、チャネル時間変化予測部３７から受信し、上下タイムスロット時間差が３タイムスロットであるという上下タイムスロット時間差測定結果を、時間差測定部３３から受信する。下りリンク（ＤＬ）タイムスロットダイバーシチ制御部３４は、上下タイムスロット時間差が３タイムスロットと小さく、かつ、アンテナ部３５ａ１の受信電力は、しばらくの間、アンテナ部３５ａ２の受信電力よりも大きいと判断できるため、精度良く送信ダイバーシチを制御することが可能であると判断し、タイムスロット番号＃７の下りリンク用タイムスロットを用いてユーザ１に宛てた送信データを送信する際には、送信ダイバーシチを適用すると決定したり、適用する送信ダイバーシチの種類をＳＴＤとすると決定したりする。
【０１０２】
一方、チャネル時間変化予測部３７が、ユーザ２に関し、受信したチャネル推定結果から、アンテナ部３５ａ１の受信電力の経時変化は、タイムスロット番号＃５、タイムスロット番号＃６の順番に減少する傾向にある、アンテナ部３５ａ２の受信電力の経時変化は、タイムスロット番号＃３、タイムスロット番号＃４の順番に増大する傾向にあるというチャネル時間変化を観測した場合を考える。更に、この時、上りリンクチャネル推定部３６が、タイムスロット番号＃６の上りリンク用タイムスロットに対して、アンテナ部３５ａ１の受信電力は、アンテナ部３５ａ２の受信電力よりも大きいというチャネル推定を行った場合を考える。
【０１０３】
この場合、チャネル時間変化予測部３７は、ユーザ２について、アンテナ部３５ａ１の受信電力は、減少傾向にあるため今後も減少し、アンテナ部３５ａ２の受信電力は、増大傾向にあるため今後も増大するというチャネル時間変化を示すと予測する。
【０１０４】
下りリンク（ＤＬ）タイムスロットダイバーシチ制御部３４は、ユーザ２に関し、上記したチャネル推定結果と、チャネル時間変化予測結果を、上りリンクチャネル推定部３６、チャネル時間変化予測部３７から受信し、上下タイムスロット時間差が７タイムスロットであるという上下タイムスロット時間差測定結果を、時間差測定部３３から受信する。下りリンク（ＤＬ）タイムスロットダイバーシチ制御部３４は、上下タイムスロット時間差は７タイムスロットと比較的小さいが、アンテナ部３５ａ１の受信電力は、まもなく、アンテナ部３５ａ２の受信電力よりも小さくなると判断できるため、タイムスロット番号＃６とタイムスロット番号＃１３のタイムスロットの時点で、無線通信チャネルの状況が変化している可能性が高いと判断し、タイムスロット番号＃１３の下りリンク用タイムスロットを用いてユーザ２に宛てた送信データを送信する際には、送信ダイバーシチを適用しないと決定したり、適用する送信ダイバーシチの種類をＴＳＴＤとすると決定したりする。
【０１０５】
又、チャネル時間変化予測部３７が、ユーザ２に関し、受信したチャネル推定結果から、アンテナ部３５ａ１とアンテナ部３５ａ２のうち受信電力の大きなアンテナ部が、タイムスロット番号＃５の上りリンク用タイムスロットにおいてはアンテナ部３５ａ１であり、タイムスロット番号＃６の上りリンク用タイムスロットにおいてもアンテナ部３５ａ１であり、タイムスロット番号＃５，６の２つの上りリンク用タイムスロットの時間内では、受信電力の大きなアンテナ部は変動していないというチャネル時間変化を観測した場合を考える。
【０１０６】
この場合、チャネル時間変化予測部３７は、無線通信チャネルについて、受信電力の大きなアンテナ部は、高速で変動してはいないと推定し、今後もフェージングの速度は遅いまま変化していくというチャネル時間変化を示すと予測する。
【０１０７】
下りリンク（ＤＬ）タイムスロットダイバーシチ制御部３４は、ユーザ２に関し、上記したチャネル時間変化予測結果を、チャネル時間変化予測部３７から受信し、上下タイムスロット時間差が７タイムスロットであるという上下タイムスロット時間差測定結果を、時間差測定部３３から受信する。下りリンク（ＤＬ）タイムスロットダイバーシチ制御部３４は、上下タイムスロット時間差が７タイムスロットと比較的小さく、フェージングの速度も遅いまま変化していくと予測されるため、チャネル推定結果の精度は劣化しないと判断し、タイムスロット番号＃１１の下りリンク用タイムスロットを用いてユーザ２に宛てた送信データを送信する際には、送信ダイバーシチを適用すると決定したり、適用する送信ダイバーシチの種類をＳＴＤとすると決定したりする。
【０１０８】
一方、チャネル時間変化予測部３７が、ユーザ２に関し、受信したチャネル推定結果から、アンテナ部３５ａ１とアンテナ部３５ａ２のうち受信電力の大きなアンテナ部が、タイムスロット番号＃５の上りリンク用タイムスロットにおいてはアンテナ部３５ａ１であり、タイムスロット番号＃６の上りリンク用タイムスロットにおいてはアンテナ部３５ａ２であり、タイムスロット番号＃５，６の２つの上りリンク用タイムスロットの時間内で、受信電力の大きなアンテナ部が大きく変動しているというチャネル時間変化を観測した場合を考える。
【０１０９】
この場合、チャネル時間変化予測部３７は、無線通信チャネルについて、受信電力の大きなアンテナ部は、高速に変動していると推定し、今後もフェージングの速度は早いまま変化していくというチャネル時間変化を示すと予測する。そのため、下りリンク（ＤＬ）タイムスロットダイバーシチ制御部３４は、上下タイムスロット時間差は７タイムスロットと比較的小さいが、チャネル推定結果の精度が劣化すると判断し、タイムスロット番号＃１３の下りリンク用タイムスロットを用いてユーザ２に宛てた送信データを送信する際には、送信ダイバーシチを適用しないと決定したり、適用する送信ダイバーシチの種類をＴＳＴＤとすると決定したりする。
【０１１０】
又、下りリンク（ＤＬ）タイムスロットダイバーシチ制御部３４は、上下タイムスロット時間差が小さく、チャネル時間変化予測結果が今後もフェージングの速度は遅いまま変化していくというものであった場合には、送信ダイバーシチ制御の精度は高くないが、処理が簡単な送信ダイバーシチ制御を行うようにし、上下タイムスロット時間差が大きく、チャネル時間変化予測結果が今後もフェージングの速度は速いまま変化していくというものであった場合には、処理は簡単ではないが、送信ダイバーシチ制御の精度が高い送信ダイバーシチ制御を行うようにしてもよい。
【０１１１】
尚、下りリンク（ＤＬ）タイムスロットダイバーシチ制御部３４は、上記した点以外は、図１に示した下りリンク（ＤＬ）タイムスロットダイバーシチ制御部１４と実質的に同様である。又、図２（ｂ）では、ユーザ１、ユーザ２にそれぞれ、２つの上りリンク用タイムスロットが割り当てられ、チャネル時間変化予測部３７は、各ユーザに割り当てられた２つの上りリンク用タイムスロットに対するチャネル推定結果から、各ユーザのチャネル時間変化を予測したが、各ユーザに、３つ以上の上りリンク用タイムスロットを割り当てるようにしてもよい。その場合には、チャネル時間変化予測部３７は、各ユーザに割り当てられた３つ以上の上りリンク用タイムスロットに対するチャネル推定結果に基づいて、各ユーザのチャネル時間変化を予測する。
【０１１２】
（無線通信制御方法）
次に、上記構成を有する無線基地局３０を用いた無線通信制御方法について説明する。図７は、本発明の第３の実施の形態に係る無線通信制御方法の手順を示すフロー図である。図７は、無線基地局３０が、無線基地局３０に入力された送信データを、無線通信チャネルを介して無線端末装置に送信するまでの手順を示している。まず、ステップ（Ｓ３０１）、（Ｓ３０２）を行う。ステップ（Ｓ３０１）、（Ｓ３０２）は、図３に示したステップ（Ｓ１０１）、（Ｓ１０２）と実質的に同様である。
【０１１３】
次に、チャネル時間変化予測部３７は、上りリンクチャネル推定部３６から、複数の上りリンク用タイムスロットに対するチャネル推定結果を受信し、それらのチャネル推定結果の変化に基づいて、ユーザ毎にチャネル時間変化を予測する（Ｓ３０３）。チャネル時間変化予測部３７は、チャネル時間変化予測結果を、下りリンク（ＤＬ）タイムスロットダイバーシチ制御部３４に送信する。
【０１１４】
次に、下りリンク（ＤＬ）タイムスロットダイバーシチ制御部３４は、拡散部３２から下りリンク用タイムスロットを用いて送信する送信データを受信し、時間差測定部３３、上りリンクチャネル推定部３６、時間変化予測部３７から、それぞれ各ユーザの上下タイムスロット時間差測定結果、各ユーザの上りリンク用タイムスロットに対するチャネル推定結果、各ユーザのチャネル時間変化予測結果を受信する。
【０１１５】
そして、下りリンク（ＤＬ）タイムスロットダイバーシチ制御部３４は、チャネル推定結果、上下タイムスロット時間差測定結果、チャネル時間変化予測結果に基づいて、ユーザ毎に、下りリンク用タイムスロットにおける送信ダイバーシチを制御する（Ｓ３０４）。具体的には、下りリンク（ＤＬ）タイムスロットダイバーシチ制御部３４は、各ユーザの下りリンク用タイムスロットにおいて、送信ダイバーシチを適用するか否かを決定したり、適用する送信ダイバーシチの種類を決定したり、送信ダイバーシチを適用する各下りリンク用タイムスロットにおいて、アンテナ部３５ａ１，３５ａ２に付与する重み付け係数を決定したり、用いるアンテナ部３５ａ１，３５ａ２を決定したりする。
【０１１６】
下りリンク（ＤＬ）タイムスロットダイバーシチ制御部３４は、拡散部３２から受信した各ユーザの下りリンク用タイムスロットで送信する送信データを、送信処理部３５に送信する。又、下りリンク（ＤＬ）タイムスロットダイバーシチ制御部３４は、各ユーザの下りリンク用タイムスロットについて決定した結果、即ち、送信ダイバーシチを適用するか否か、適用する送信ダイバーシチの種類、アンテナ部３５ａ１，３５ａ２に付与した重み付け係数等に従って、各ユーザの下りリンク用タイムスロット毎に、送信処理部３５を制御する。最後に、ステップ（Ｓ３０５）を行う。ステップ（Ｓ３０５）は、図３に示したステップ（Ｓ１０４）と実質的に同様である。
【０１１７】
（効果）
このような本発明の第３の実施の形態に係る無線基地局３０及び無線通信制御方法によれば、チャネル時間変化予測部３７が、無線通信チャネルのフェージングの状態として、フェージング周波数に相当するチャネル時間変化を予測する。そして、下りリンク（ＤＬ）タイムスロットダイバーシチ制御部３４は、チャネル推定結果、上下タイムスロット時間差測定結果に加えて、チャネル時間変化に基づいて、送信ダイバーシチを制御する。
【０１１８】
そのため、下りリンク（ＤＬ）タイムスロットダイバーシチ制御部３４は、チャネル推定結果、上下タイムスロット時間差測定結果に加えて、チャネル時間変化予測結果を監視しながら、各ユーザに割り当てられた下りリンク用タイムスロットについて、送信ダイバーシチを制御することができる。よって、下りリンク（ＤＬ）タイムスロットダイバーシチ制御部３４は、チャネル時間変化を判断基準の一つとして用い、実際の無線環境（フェージングの状態）に応じて最適となるように送信ダイバーシチの制御を行うことができる。
【０１１９】
例えば、送信データを送信する際には、上りリンク用タイムスロットについてのチャネル推定結果の精度が劣化していると判断されるユーザへの送信データの送信には、送信ダイバーシチを適用しないというように、無線通信チャネルを割り当てられたユーザ毎に、そのときのフェージングの状態にとって最適な送信ダイバーシチの適用となるよう制御できる。その結果、無線基地局３０は、送信ダイバーシチを適切に適用して、伝送品質の劣化を更に抑えた無線通信を行うことができる。
【０１２０】
［第４の実施の形態］
本発明の第４の実施の形態について、図面を参照しながら説明する。
【０１２１】
（無線基地局）
図８は、本発明の第４の実施の形態に係る無線基地局４０の構成を示すブロック図である。本実施形態でも、タイムスロットを無線通信チャネルとして用いる場合を例にとって説明する。又、本実施形態でも、図２（ｂ）に示すタイムスロット構成２が用いられている場合を例にとって説明する。尚、本実施形態でも、タイムスロット番号＃４，＃６の上りリンク用タイムスロットに対するチャネル推定結果を送信ダイバーシチ制御に利用して、送信データを送信する。
【０１２２】
図８に示すように、無線基地局４０は、符号化部４１と、拡散部４２と、時間差測定部４３と、下りリンク（ＤＬ）タイムスロットダイバーシチ制御部４４と、送信処理部４５と、アンテナ部４５ａ１，４５ａ２と、上りリンクチャネル推定部４６と、フェージング周波数推定部４７と、チャネル時間変化予測部４８とから構成される。
【０１２３】
符号化部４１、拡散部４２、時間差測定部４３、送信処理部４５、アンテナ部４５ａ１，４５ａ２は、図１に示した符号化部１１、拡散部１２、時間差測定部１３、送信処理部１５、アンテナ部１５ａ１，１５ａ２と実質的に同様である。又、フェージング周波数推定部４７は、図４に示したフェージング周波数推定部２７と実質的に同様である。又、上りリンクチャネル推定部４６と、チャネル時間変化予測部４８は、図６に示した上りリンクチャネル推定部３６、チャネル時間変化予測３７と実質的に同様である。
【０１２４】
下りリンク（ＤＬ）タイムスロットダイバーシチ制御部４４は、時間差測定部４３と、上りリンクチャネル推定部４６、フェージング周波数推定部４７と、チャネル時間変化予測部４８と接続している。下りリンク（ＤＬ）タイムスロットダイバーシチ制御部４４は、上りリンクチャネル推定部４６から、各ユーザの上りリンク用タイムスロットに対するチャネル推定結果を受信する。又、下りリンク（ＤＬ）タイムスロットダイバーシチ制御部４４は、時間差測定部４３から、各ユーザの上下タイムスロット時間差測定結果を受信する。又、下りリンク（ＤＬ）タイムスロットダイバーシチ制御部４４は、フェージング周波数推定部４７から、各ユーザのフェージング周波数推定結果を受信する。又、下りリンク（ＤＬ）タイムスロットダイバーシチ制御部４４は、チャネル時間変化予測部４８から、各ユーザのチャネル時間変化予測結果を受信する。
【０１２５】
下りリンク（ＤＬ）タイムスロットダイバーシチ制御部４４は、各ユーザのチャネル推定結果、上下タイムスロット時間差測定結果、フェージング周波数推定結果及びチャネル時間変化予測結果に基づいて、チャネル推定結果、上下タイムスロット時間差測定結果と対応する下りリンク用タイムスロットにおける送信ダイバーシチを、ユーザ毎に制御する。具体的には、下りリンク（ＤＬ）タイムスロットダイバーシチ制御部４４は、まず、各ユーザの下りリンク用タイムスロットにおいて、送信ダイバーシチを適用するか否かを決定したり、どのような送信ダイバーシチを適用するか、即ち、適用する送信ダイバーシチの種類を決定したりする。
【０１２６】
例えば、チャネル時間変化予測部４８が、ユーザ１に関し、受信したチャネル推定結果から、アンテナ部４５ａ１の受信電力の経時変化は、タイムスロット番号＃３、タイムスロット番号＃４の順番に増大する傾向にある、アンテナ部４５ａ２の受信電力の経時変化は、タイムスロット番号＃３、タイムスロット番号＃４の順番に減少する傾向にあるというチャネル時間変化を観測した場合を考える。更に、この時、上りリンクチャネル推定部４６が、タイムスロット番号＃４の上りリンク用タイムスロットに対して、アンテナ部４５ａ１の受信電力は、アンテナ部４５ａ２の受信電力よりも大きいというチャネル推定を行い、フェージング周波数推定部４７が、無線通信チャネルのフェージング周波数は小さいと推定した場合を考える。
【０１２７】
この場合、チャネル時間変化予測部４８は、ユーザ１について、アンテナ部４５ａ１の受信電力は、増大傾向にあるため今後も増大し、アンテナ部４５ａ２の受信電力は、減少傾向にあるため今後も減少するというチャネル時間変化を示すと予測する。
【０１２８】
下りリンク（ＤＬ）タイムスロットダイバーシチ制御部４４は、ユーザ１に関し、上記したチャネル推定結果、フェージング周波数推定結果、チャネル時間変化予測結果を、上りリンクチャネル推定部４６、フェージング周波数推定部４７、チャネル時間変化予測部４８から受信し、上下タイムスロット時間差が３タイムスロットであるという上下タイムスロット時間差測定結果を、時間差測定部４３から受信する。
【０１２９】
下りリンク（ＤＬ）タイムスロットダイバーシチ制御部４４は、上下タイムスロット時間差が３タイムスロットと小さく、フェージング周波数も小さく、かつ、アンテナ部４５ａ１の受信電力は、当分の間、アンテナ部４５ａ２の受信電力よりも大きいと判断できるため、精度良く送信ダイバーシチを制御することが可能であると判断し、タイムスロット番号＃７の下りリンク用タイムスロットを用いてユーザ１に宛てた送信データを送信する際には、送信ダイバーシチを適用すると決定したり、適用する送信ダイバーシチの種類をＳＴＤとすると決定したりする。
【０１３０】
尚、この際、フェージング周波数推定部４７が、フェージング周波数が非常に大きいと推定した場合には、下りリンク（ＤＬ）タイムスロットダイバーシチ制御部４４は、上下タイムスロット時間差が３タイムスロットと小さく、かつ、アンテナ部４５ａ１の受信電力は、当分の間、アンテナ部４５ａ２の受信電力よりも大きいと判断できる場合であっても、フェージング周波数が大きいため、タイムスロット番号＃４とタイムスロット番号＃７のタイムスロットの時点で、無線通信チャネルの状況が変化している可能性が高いと判断し、タイムスロット番号＃７の下りリンク用タイムスロットを用いてユーザ１に宛てた送信データを送信する際には、送信ダイバーシチを適用しないと決定したり、適用する送信ダイバーシチの種類をＴＳＴＤとすると決定したりする。
【０１３１】
一方、チャネル時間変化予測部４８が、ユーザ２に関し、受信したチャネル推定結果から、アンテナ部４５ａ１の受信電力の経時変化は、タイムスロット番号＃５、タイムスロット番号＃６の順番に増大する傾向にある、アンテナ部４５ａ２の受信電力の経時変化は、タイムスロット番号＃５、タイムスロット番号＃６の順番に減少する傾向にあるというチャネル時間変化を観測した場合を考える。更に、この時、上りリンクチャネル推定部４６が、タイムスロット番号＃６の上りリンク用タイムスロットに対して、アンテナ部４５ａ１の受信電力は、アンテナ部４５ａ２の受信電力よりも大きいというチャネル推定を行い、フェージング周波数推定部４７が、無線通信チャネルのフェージング周波数は小さいと推定した場合を考える。
【０１３２】
この場合、チャネル時間変化予測部４８は、ユーザ２について、アンテナ部４５ａ１の受信電力は、増大傾向にあるため今後も増大し、アンテナ部４５ａ２の受信電力は、減少傾向にあるため今後も減少するというチャネル時間変化を示すと予測する。
【０１３３】
下りリンク（ＤＬ）タイムスロットダイバーシチ制御部４４は、ユーザ２に関し、上記したチャネル推定結果、フェージング周波数推定結果、チャネル時間変化予測結果を、上りリンクチャネル推定部４６、フェージング周波数推定部４７、チャネル時間変化予測部４８から受信し、上下タイムスロット時間差が７タイムスロットであるという上下タイムスロット時間差測定結果を、時間差測定部４３から受信する。
【０１３４】
下りリンク（ＤＬ）タイムスロットダイバーシチ制御部４４は、上下タイムスロット時間差が７タイムスロットであり、非常に小さいわけではないが、フェージング周波数が小さく、アンテナ部４５ａ１の受信電力は、当分の間、アンテナ部４５ａ２の受信電力よりも大きいと判断できるため、精度良く送信ダイバーシチを制御することが可能であると判断し、タイムスロット番号＃１３の下りリンク用タイムスロットを用いてユーザ２に宛てた送信データを送信する際には、送信ダイバーシチを適用すると決定したり、適用する送信ダイバーシチの種類をＳＴＤとすると決定したりする。
【０１３５】
尚、この際、チャネル時間変化予測部４８が、ユーザ２に関し、アンテナ部４５ａ１の受信電力の経時変化は、タイムスロット番号＃５、タイムスロット番号＃６の順番に減少する傾向にある、アンテナ部４５ａ２の受信電力の経時変化は、タイムスロット番号＃５、タイムスロット番号＃６の順番に増大する傾向にあるというチャネル時間変化を観測した場合を考える。この場合、チャネル時間変化予測部４８は、ユーザ２について、アンテナ部４５ａ１の受信電力は、減少傾向にあるため今後も減少し、アンテナ部４５ａ２の受信電力は、増大傾向にあるため今後も増大するというチャネル時間変化を示すと予測する。
【０１３６】
下りリンク（ＤＬ）タイムスロットダイバーシチ制御部４４は、フェージング周波数は小さいが、上下タイムスロット時間差が７タイムスロットであり、非常に小さいわけではなく、アンテナ部４５ａ１の受信電力は、まもなく、アンテナ部４５ａ２の受信電力よりも小さくなると判断できるため、タイムスロット番号＃６とタイムスロット番号＃１３のタイムスロットの時点で、無線通信チャネルの状況が変化している可能性が高いと判断し、タイムスロット番号＃１３の下りリンク用タイムスロットを用いてユーザ２に宛てた送信データを送信する際には、送信ダイバーシチを適用しないと決定したり、適用する送信ダイバーシチの種類をＴＳＴＤとすると決定したりする。
【０１３７】
又、下りリンク（ＤＬ）タイムスロットダイバーシチ制御部４４は、上下タイムスロット時間差が小さく、フェージング周波数が小さく、チャネル時間変化予測結果が今後もフェージングの速度は遅いまま変化していくというものであった場合には、送信ダイバーシチ制御の精度は高くないが、処理が簡単な送信ダイバーシチ制御を行うようにし、上下タイムスロット時間差が大きく、フェージング周波数が大きく、チャネル時間変化予測結果が今後もフェージングの速度は速いまま変化していくというものであった場合には、処理は簡単ではないが、送信ダイバーシチ制御の精度が高い送信ダイバーシチ制御を行うようにしてもよい。尚、下りリンク（ＤＬ）タイムスロットダイバーシチ制御部４４は、上記した点以外は、図１に示した下りリンク（ＤＬ）タイムスロットダイバーシチ制御部１４と実質的に同様である。
【０１３８】
又、上記構成を有する無線基地局４０を用いた無線通信制御方法は、図５に示した手順とほぼ同様の手順で行うことができる。具体的には、ステップ（Ｓ２０３）において、フェージング周波数推定部４７が、フェージング周波数を推定するだけでなく、チャネル時間変化予測部４８がチャネル時間変化を予測し、ステップ（Ｓ２０４）において、下りリンク（ＤＬ）タイムスロットダイバーシチ制御部４４が、チャネル時間変化予測結果も考慮して、送信ダイバーシチを制御する以外は、図５に示した手順と実質的に同様に行うことができる。
【０１３９】
（第４の実施の形態に係る無線基地局及び無線通信制御方法による作用・効果）このような本発明の第４の実施の形態に係る無線基地局４０及び無線通信制御方法によれば、下りリンク（ＤＬ）タイムスロットダイバーシチ制御部４４は、チャネル推定結果、上下タイムスロット時間差測定結果に加えて、フェージング周波数推定結果及びチャネル時間変化予測結果を監視しながら、各ユーザに割り当てられた下りリンク用タイムスロットについて、送信ダイバーシチを制御することができる。
【０１４０】
よって、下りリンク（ＤＬ）タイムスロットダイバーシチ制御部４４は、フェージング周波数とチャネル時間変化の両方を用いて、無線通信チャネルを割り当てられたユーザ毎に、そのときのフェージングの状態にとって最適な送信ダイバーシチの適用となるよう送信ダイバーシチの制御を行うことができる。その結果、無線基地局４０は、より実際の無線環境に適した送信ダイバーシチを適用して、伝送品質の劣化を更に抑えた無線通信を行うことができる。
【０１４１】
［変更例］
本発明は、上記実施形態に限定されるものではなく、種々の変更が可能である。上記第１〜第４の実施の形態においては、ＴＤＭＡ方式やＴＤＤ方式のように、無線通信チャネルとしてタイムスロットを用いる方式を例にとって説明したが、本発明は、無線通信チャネルとして拡散符号を用いるＣＤＭＡ（Ｃｏｄｅ　Ｄｉｖｉｓｉｏｎ　Ｍｕｌｔｉｐｌｅ　Ａｃｃｅｓｓ）方式の無線通信にも適用できる。
【０１４２】
【発明の効果】
以上説明したように、本発明によれば、伝送品質特性の劣化を抑えて無線通信を行うことのできる無線基地局及び無線通信制御方法を提供することができる。
【図面の簡単な説明】
【図１】本発明の第１の実施の形態に係る無線基地局の構成を示すブロック図である。
【図２】本発明の第１の実施の形態に係るタイムスロット構成を示す説明図である。
【図３】本発明の第１の実施の形態に係る無線通信制御方法の手順を示すフロー図である。
【図４】本発明の第２の実施の形態に係る無線基地局の構成を示すブロック図である。
【図５】本発明の第２の実施の形態に係る無線通信制御方法の手順を示すフロー図である。
【図６】本発明の第３の実施の形態に係る無線基地局の構成を示すブロック図である。
【図７】本発明の第３の実施の形態に係る無線通信制御方法の手順を示すフロー図である。
【図８】本発明の第４の実施の形態に係る無線基地局の構成を示すブロック図である。
【図９】従来の無線基地局の構成を示すブロック図である。
【図１０】従来の無線基地局における上下タイムスロット時間差と伝送品質特性の関係を示すグラフである。
【符号の説明】
１，２　タイムスロット構成
１０，２０，３０，４０，５０　無線基地局
１１，２１，３１，４１，５１　符号化部
１２，２２，３２，４２，５２　拡散部
１３，２３，３３，４３　時間差測定部
１４，２４，３４，４４　下りリンク（ＤＬ）タイムスロット送信ダイバーシチ制御部
１５，２５，３５，４５　送信処理部
１５ａ１，１５ａ２，２５ａ１，２５ａ２，３５ａ１，３５ａ２，４５ａ１，４５ａ２，５６ａ，５６ｂ　アンテナ部
１６，２６，３６，４６，５７　上りリンクチャネル推定部
２７，４７　フェージング周波数推定部
３７，４８　チャネル時間変化予測部
５３ａ，５３ｂ　重み付け部
５４ａ，５４ｂ　フィルタ部
５５ａ，５５ｂ　送信部
【図１】
2004015754.tif 000003
【図２】
2004015754.tif 000004
【図３】
2004015754.tif 000005
【図４】
2004015754.tif 000006
【図５】
2004015754.tif 000007
【図６】
2004015754.tif 000008
【図７】
2004015754.tif 000009
【図８】
2004015754.tif 000010
【図９】
2004015754.tif 000011
【図１０】
2004015754.tif 000012